(57)【特許請求の範囲】
【請求項１】
複数本の柱状鋳型と個々の該鋳型に対応する複数のノズル穴を底部に有し、金属製枠に耐火物を内張りしたタンディッシュと、該タンディッシュ下面に配置され、前記柱状鋳型の上部端面に接続して前記ノズルとの間に鋳型毎の断熱空間を形成する、耐火物で断熱された断熱枠と、
を具備する柱状インゴットの鋳造装置であって、
タンディッシュ下面には補強枠が設けられ、該補強枠は格子状であって、かつ該補強枠の目開きの中央にノズルが位置するように配置されており、且つ前記断熱枠は前記補強枠の目開きにはめ込み固定できるブロック状であって、タンディッシュ下面に接触する断熱枠上面と、補強枠に接触する断熱枠側面と、前記柱状鋳型の上部端面に接続する断熱枠下部端面と、該断熱枠下部端面側から断熱枠内部に形成され、鋳型空間に連通しかつノズルに連通する空洞状の断熱空間とを有することを特徴とする柱状インゴットの鋳造装置。
【請求項２】
補強枠の高さは、断熱枠の高さより高いことを特徴とする請求項１に記載の柱状インゴットの鋳造装置。
【請求項３】
断熱枠上面と、タンディッシュ下面の間に、ノズル周囲から断熱枠上面までを覆う断熱シートが配置されていることを特徴とする請求項１または２に記載の柱状インゴットの鋳造装置。
【発明の詳細な説明】
【技術分野】
【０００１】
本発明は、複数本の鋳型、典型的にはマトリックス状（行列状）に配置した鋳型に、同時に上注ぎ鋳造する鋳造装置に関する。
【背景技術】
【０００２】
従来、インベストメント鋳造法（ロストワックス鋳造法）等においては、純度の高いマスターメタルをあらかじめ製造しておき、これを溶解して鋳造するのが一般的である。
インベストメント鋳造においては、通常、多数の比較的小型の製品を効率よく鋳造する必要性から、鋳造に要する溶湯をその都度成分調整しなくても済むように、その製品のサイズに合わせて特定サイズのマスターメタルを多数準備しておく必要がある。
このマスターメタルはインベストメント鋳造に用いられる炉に充填率高く装入できる矩形や円形等の断面形状が選択される。もっとも一般的な形状は、円柱状であり、前記の炉のサイズに合わせて長手に対し定尺に切断したものが使用されることが多い。
【０００３】
マスターメタルを鋳造する手法としては、単一のノズルから鋳型一本ずつ順次に上注ぎ鋳造する方法と、マトリックス状（行列状）に配置した鋳型に、複数のノズルを底面に有するタンディシュ（あるいはディストリビューション・ボックス）と呼ばれる治具を用いて同時に上注ぎ鋳造する鋳造方法が知られている。
特に後者の複数のノズルを用いる方法は、複数の鋳型を同時並行的に鋳造するため、短時間で鋳造が完了し、溶湯の温度低下が少なく、ノズルの詰まりのリスクが軽減されるとともに、溶湯のスーパーヒートを低くできるため、溶湯の窒素含有量を低くすることができるといった利点がある。
鋳造に使用される複数のノズルを有するタンディシュには、本体を繊維性の耐火物を圧密成形により製作し、必要に応じて周囲を鉄枠等で補強したものや、上方が開放された箱状の鉄製枠内面に耐火物で内張りしたものが用いられている．
【０００４】
これに類する技術として特許文献１には、複数インゴットの同時造塊装置が報告されている。特許文献１においては、並置立設された複数の鋳型と、各鋳型に向かうノズル口を有する溶湯分配用のタンディッシュとの間に、連通湯道をもつ耐火物製の平盤体を介在させ、タンディシュのノズル口と平盤体の通口の位置を一致させ、タンディシュのノズルが閉塞したときには平盤体の連通湯道を通って溶湯が閉塞したノズルの下にある通口に供給され、鋳造を継続しうるようにしたものである。この方法では複数の鋳型に同時に鋳造することが可能であり、かつ各鋳型に均一に鋳造して、押湯不足を生じさせないという利点がある。
また、特許文献１に記載されるように鋳型上部の内壁に押湯枠として断熱材を配置する手法は、凝固時の収縮に対応した鋳型への溶湯供給作用を持続的に発揮させるという意味で有効であり、一般的に適用されている。
【先行技術文献】
【特許文献】
【０００５】
【特許文献１】実開昭６２−８２１５０号公報
【発明の概要】
【発明が解決しようとする課題】
【０００６】
上述したとおり、マトリックス状に配置した鋳型に、同時に上注ぎ鋳造する鋳造方法は、マスターメタルの製造に有効である。  そして、特許文献１に指摘されるような鋳型上部への耐火物（断熱枠）の配置も有効である。
一方、本発明者の検討によれば、マトリックス状に配置した鋳型への鋳造において、２つの課題が認識された。一つは、金属製枠に耐火物内張りしたタンディシュにあってはタンディッシュの金属製枠が熱間強度不足と熱膨張により変形し、その結果タンディッシュ底面に高低差ができ、底面の低い部分の位置にあるノズルに多くの溶湯が供給されるとともに、それ以外の部分で金属製枠とその下の構造に隙間ができ、そこから溶湯の漏洩があること、もう一つは次回以降に鋳造装置として組み立てる際に、タンディッシュと断熱枠と鋳型との確実な位置あわせが難しいことである。
本発明の目的は、上記課題に鑑み、タンディッシュ強度の確保と、鋳造装置の組み立て精度の確保が可能な柱状インゴットの鋳造装置を提供することである。
【課題を解決するための手段】
【０００７】
本発明は、複数本の柱状鋳型と、
個々の該鋳型に対応する複数のノズル穴を底部に有する金属製枠に耐火物を内張りしたタンディッシュと、該タンディッシュ下面に配置され、前記柱状鋳型の上部端面に接続して前記ノズルとの間に鋳型毎の断熱空間を形成する、耐火物で断熱された断熱枠と、
を具備する柱状インゴットの鋳造装置であって、
タンディッシュ下面には補強枠が設けられ、該補強枠は格子状であって、かつ該補強枠の目開きの中央にノズルが位置するように配置されており、且つ前記断熱枠は前記補強枠の目開きにはめ込み固定できるブロック状であって、タンディッシュ下面に接触する断熱枠上面と、補強枠に接触する断熱枠側面と、前記柱状鋳型の上部端面に接続する断熱枠下部端面と、該断熱枠下部端面側から断熱枠内部に形成され、鋳型空間に連通しかつノズルに連通する空洞状の断熱空間を有する柱状インゴットの鋳造装置である。
【０００８】
本発明においては、補強枠の高さは、断熱枠の高さより高いことが好ましい。
また、本発明においては、断熱枠上面と、タンディッシュ下面の間に、ノズル周囲から断熱枠上面までを覆う断熱シートが配置されていることが好ましい。
【発明の効果】
【０００９】
本発明によれば、タンディッシュの鋳造中および鋳造後の変形を防止し、鋳造装置の組み立て精度の確保が可能となる。これにより、複数本の柱状鋳型への均一な溶湯の供給が可能になるとともに、組み立て精度不足から来る断熱効果の低下を防ぎノズル近傍を確実に保温しノズル詰まりを防止することができる。また、鋳造装置の組み立て工数の低減にもなり、インベストメント鋳造法に適用する柱状インゴットの製造にとって極めて有用なものとなる。
【図面の簡単な説明】
【００１０】
【図１】本発明の鋳造装置の一例を示す模式図である。
【図２】本発明の鋳造装置の一例を示す部分断面模式図である。
【図３】本発明に適用するタンディッシュの一例を示す模式図である。
【発明を実施するための形態】
【００１１】
以下、本発明を、図を用いて詳しく説明する。図１は、本発明に適用する鋳造装置の一例を示す模式図である。また、図２は、本発明に適用する鋳型と断熱枠とタンディッシュの接合部分の形態の一例を示す断面模式図である。
【００１２】
まず、図１および図２に示すように本発明の柱状インゴットの鋳造装置は、複数本の柱状鋳型５を用いる。柱状インゴットは、先に記載したようにマスターメタルの使用形状にとって有利であり、複数同時鋳造法によれば生産性に優れている。鋳型形状は柱状であればよく断面は矩形であっても円形であってもよいが、鋳型製造性および作業性（補強枠を用いたときの鋳型位置決めの容易性）の面からは円形が好ましい。鋳型としては溶湯との反応性の低い材質が好ましい。一般的にはコストを考慮して、炭素鋼を適用することができる。
また、鋳型のサイズとしては、内径５０〜２００ｍｍ、長さ５００〜２０００ｍｍが典型である。
本発明では、図１に示すように、鋳型底部より順次凝固させるための冷し金６を配置した定盤７を準備し、その上に中空円柱状の鋳型５を配置することで、マトリックス状に鋳型を組むことができる。使用する典型的な冷し金６の材質は銅であり、定盤７の材質は鋳鉄である。
【００１３】
図２に本発明に適用するタンディッシュの一例を示す断面模式図を記す。図２に示すように、本発明の鋳造装置においてタンディッシュ１は、上方が開放された箱状の金属製枠１ａの内面に溶湯を受ける耐火物１ｂで内張りしたものであり、柱状鋳型５に対応する複数のノズル３を底部に有するものとしている。金属製枠としては安価な鉄製を用いることができる。
使用する耐火物としては、高アルミナ質、ジルコン質などの溶湯との反応性の低い耐火物を主体とした耐火物を定型または不定形の状態で金属製枠に内張りしたものが使用できる。
【００１４】
タンディッシュ１としては、各ノズル３からの出湯量が大きく異なることのないように内部に堰を設けた構造を適用することができる。
また、図３示すように本発明は、タンディッシュ１の下面、すなわちタンディッシュを構成する金属製枠１ａの下面に格子状の補強枠２を設けている。なお、ノズル３は補強枠２の目開きの中央に位置するように配置されている。これにより、タンディッシュ１の中央底部の変形を防止できるとともに、後述する断熱枠４を嵌め込み固定する作用も付与することができるものとなる。
また、補強枠２の高さを後述する断熱枠より高く（長く）することで、断熱枠４が補強枠２に内包されることとなり、補強枠２の断熱枠４より突出する部分が、鋳型を組み立てる際のガイドとして作用し、位置決めを容易にすることができる。
より好ましい形態としては、補強枠２の目開きを構成する桟に面取部２ａを設け鋳型を目開きの中央に誘導するものとする。
【００１５】
図３に本発明に適用する断熱枠４の一例を示す模式図を示す。図３に示す断熱枠４は、は補強枠２の目開きにはめ込み固定できるブロック状である。断熱枠４上面をタンディッシュ１の下面に接触するように補強枠２に嵌め込み、補強枠２と断熱枠４側面の嵌め合いにより固定するものである。この構成により、断熱枠２が各ノズル３毎に位置決めされる。これにより断熱枠４の耐火物による断熱空間は空洞状となる。
断熱枠４のサイズとしては、断熱空間となる内径は、ノズル３の外径以上、柱状鋳型５の内径以下から選び、長さは、５ｍｍ〜１００ｍｍとして、断熱空間内容積を鋳型内容積の１％以上とすることが断熱空間の確実な確保のために望ましい。
本発明に用いる断熱枠４となる耐火物としては、アルミナ・シリカ系セラミックファイバを適用することができる。特に断熱枠４は、溶湯の漏洩を防止するため、またできる限り密閉するために伸縮性のある前記のセラミックファイバを用いることが望ましい。
【００１６】
上述した断熱枠４を配置したタンディッシュ１を、断熱枠下部端面が柱状鋳型５の上部端面に接触接続するように載置することで、図１および図２に示す本発明の鋳造装置となる。
本発明の鋳造装置は、断熱枠４により、柱状鋳型５毎の断熱空間が形成される。これにより、ノズル３の閉塞の要因となるノズル３近傍の抜熱を確実に抑制することができる。
なお、図３に示すように、断熱枠４上面と、タンディッシュ１の下面の間に、ノズル３周囲から断熱枠４上面までを覆う断熱シート４ａを配置してもよい。断熱シート４ａにより、タンディッシュ１の下面と断熱枠４の境界からの抜熱をさらに低減でき、ノズル３閉塞の発生をさらに抑制できる。断熱シート４ａとしてはアルミナ・シリカ系セラミックファイバ等が利用できる。
また、本発明の鋳造装置においては、断熱枠４の下部端面と柱状鋳型５の上部端面とは、断熱枠４側の自重により接続される。この構造は、組み立て容易性はもちろん、鋳造後のインゴットからの断熱枠４の分離除去性にも優れるものとなる。
また、柱状鋳型５と断熱枠４の載置接続する面の構成として、断熱枠４の下部端面と柱状鋳型５の上部端面とは、お互いに補角となるようなテーパーを形成することが好ましい。これにより位置決めがより容易となる。
【００１７】
図１および図２に示す本発明の鋳造装置を使用した柱状インゴットの鋳造方法の一例について説明する。
まず、タンディッシュ１に、図１および図２には図示されていない溶解炉から直接、あるいは、これも図示されていない別のタンディッシュまたはラウンダー（樋）を介して、所定量の溶湯を供給する。この所定量はタンディッシュ１内に残湯が残るレベルとすることが望ましい。
本発明の鋳造装置により、複数本の柱状鋳型５に同時に鋳造が行われ、断熱枠４の断熱効果により、ノズル３が急には閉塞せず、溶湯の凝固過程におけるインゴットの引けに対して、タンディッシュ１からの溶湯を補充できる押湯の効果が得られるものとなる。タンディッシュ１内に残湯が残るレベルとすることにより、タンディッシュ１内の溶湯による押湯の効果がより確実なものとなる。
また、鋳造開始から最終凝固形態に至るまでには、ノズル３にある溶湯の方が先に凝固する場合が多いため、インゴットの引けがある程度は発生する。しかし、本発明では断熱枠４の断熱効果により、その形態は深いパイプ状とはならず、浅い平面状とすることができる。
本発明においては、鋳造後、溶湯が凝固した後、タンディッシュ１を上方に移動することで、インゴットから容易に分離する。本発明では、断熱枠４の断熱効果によりノズル３内の溶湯が凝固し、閉塞するのに遅れて断熱枠４内部の溶湯が引けて湯面が低下するため断熱枠４の内壁の溶湯の切れがよくなり、凝固後にノズル３の口近傍で、タンディッシュ１を柱状鋳型５から確実かつ容易に分離させることができるものとなる。
【符号の説明】
【００１８】
１．タンディッシュ、  １ａ．金属製枠、  １ｂ．耐火物  ２．補強枠、  ２ａ．面取部、  ３．ノズル、  ４．断熱枠、  ４ａ．断熱シート、  ５．鋳型  ６．冷し金、  ７．定盤
【図１】
0005729642.tif 000002
【図２】
0005729642.tif 000003
【図３】
0005729642.tif 000004